(57)【要約】【課題】見栄えを良好に維持しつつ、各種電装品を取り付けることが可能な窓遮蔽装置を提供する。【解決手段】窓枠２上縁部又は窓枠２上方の室内壁面に取り付けられた支持部材３と、支持部材３の室外側の背面に取り付けて窓枠２の室内側の面に近接した状態で吊り下げた遮蔽材４と、支持部材３の背面側に配設されて遮蔽材４を昇降させる昇降機構５とを備えた窓遮蔽装置である。支持部材３の背面よりも室内側に電装品１５を取り付けるための取付スペース３ｃを形成すると共に、取付スペース３ｃに取り付けた電装品１５の外部に露出した部分よりも室内側に電装品１５の目隠し用の鍔部３ｄを配設した。【選択図】図１
2010172491.tif 000002
【特許請求の範囲】
【請求項１】
窓枠上縁部又は窓枠上方の室内壁面に取り付けられた支持部材と、当該支持部材の室外側の背面に取り付けて窓枠の室内側の面に近接した状態で吊り下げた遮蔽材と、前記支持部材の背面側に配設されて前記遮蔽材を昇降させる昇降機構とを備えた窓遮蔽装置において、
前記支持部材の背面よりも室内側に電装品を取り付けるための取付スペースを形成すると共に、前記取付スペースに取り付けた電装品の外部に露出した部分よりも室内側に前記電装品の目隠し用の鍔部を配設したことを特徴とする窓遮蔽装置。
【請求項２】
前記取付スペースに、前記電装品として、前記遮蔽材及び／又は室内壁面を照らす照明灯を取り付けた請求項１に記載の窓遮蔽装置。
【請求項３】
前記照明灯を任意の角度で保持可能なチルト機構を備えた請求項２に記載の窓遮蔽装置。
【請求項４】
前記照明灯の光の明るさ及び色を調整するための調光手段を備えた請求項２又は３に記載の窓遮蔽装置。
【請求項５】
前記取付スペースに、電装品を前記支持部材の長手方向に往復移動可能にガイドするガイド機構を配設した請求項１に記載の窓遮蔽装置。
【発明の詳細な説明】
【技術分野】
【０００１】
本発明は、遮蔽材を窓枠に近接させて吊り下げた窓遮蔽装置に関する。
【背景技術】
【０００２】
窓遮蔽装置としては、窓枠の室内側に配設されるカーテンなどが周知である。斯かる窓枠に取り付けられるカーテンの一形態として、ローマンシェードと呼ばれるものがある。このローマンシェードは、窓からの入射光を遮るために吊り下げられた遮蔽材を、昇降機構によって適宜たくし上げるように構成したものである。
【０００３】
例えば、下記の特許文献１に、遮光性や室内の保温性等を向上させたローマンシェード式の窓遮蔽装置が提案されている。図８に、前記特許文献１に記載された窓遮蔽装置の具体的構成を示す。
【０００４】
図８に示すように、窓枠１００の上方の室内壁面に止め具を介してパネル材２００が取り付けられている。パネル材２００の下部には、可撓性を有するシート状の遮蔽材３００を取り付け、窓枠１００の室内側に吊り下げている。また、この窓遮蔽装置は、遮蔽材３００を昇降させる昇降機構として、パネル材２００の下部背面に取り付けられた昇降装置６００と、昇降装置６００から遮蔽材３００の下部へ延びた複数本の昇降紐４００と、遮蔽材３００の背面に取り付けられて前記昇降紐４００を上下方向へ案内する複数のガイド環列５００を有している。
【０００５】
この図８に示す特許文献１の窓遮蔽装置は、遮光性や室内の保温性等を向上させるために、遮蔽部材３００をパネル材２００の下部背面に取り付けて、遮蔽材３００を窓枠１００に対して密着ないし近接した状態で吊り下げるようにしている。
【先行技術文献】
【特許文献】
【０００６】
【特許文献１】特開２００５−１６８９８９号公報
【発明の概要】
【発明が解決しようとする課題】
【０００７】
ところで、室内に配設したカーテンを上方から照明灯で照らし、意匠的効果等を高めることが広く行われている。上記図８に示す特許文献１に記載の窓遮蔽装置において、遮蔽材３００を照らすための照明灯を、パネル材２００の上方の室内壁面に取り付けた場合、パネル材２００が遮蔽材３００よりも室内側に突出しているため、遮蔽材３００を効果的に照らすことができないといった問題がある。そこで、照明灯をパネル材２００などに取り付けることによって、遮蔽材３００を照らしやすくすることができるが、この場合、照明灯がパネル材２００から外部に露出した状態となり、見栄えが悪くなるといった問題が生じる。
【０００８】
また、照明灯以外に、防犯用のセンサ類や、それらを操作するためのリモコンの受信部等の電装品を、窓遮蔽装置に設けることによって、ユニット化することができ、利便性が向上する。しかし、これらの電装品をパネル材２００に取り付けた場合も、上記照明灯と同様に、見栄えが悪くなってしまう。また、これらの電装品を壁面に装着することも可能であるが、何らかの理由により電装品又は窓遮蔽装置の移動、撤去、変更を行うと、形成された電装品の取付跡が露出してしまう問題がある。
【０００９】
本発明は、斯かる事情に鑑み、見栄えを良好に維持しつつ、各種電装品を取り付けることが可能な窓遮蔽装置を提供する。
【課題を解決するための手段】
【００１０】
請求項１の発明は、窓枠上縁部又は窓枠上方の室内壁面に取り付けられた支持部材と、当該支持部材の室外側の背面に取り付けて窓枠の室内側の面に近接した状態で吊り下げた遮蔽材と、前記支持部材の背面側に配設されて前記遮蔽材を昇降させる昇降機構とを備えた窓遮蔽装置において、前記支持部材の背面よりも室内側に電装品を取り付けるための取付スペースを形成すると共に、前記取付スペースに取り付けた電装品の外部に露出した部分よりも室内側に前記電装品の目隠し用の鍔部を配設したものである。
【００１１】
支持部材に電装品を取付可能な取付スペースを形成したことにより、各種電装品を窓遮蔽装置に取り付けてユニット化することができ、利便性が向上する。また、電装品の目隠し用の鍔部を配設したことにより、取付スペースに配設した電装品を室内側から見えないようにすることができ、見栄えを良好に維持することが可能である。
【００１２】
請求項２の発明は、請求項１に記載の窓遮蔽装置において、前記取付スペースに、前記電装品として、前記遮蔽材及び／又は室内壁面を照らす照明灯を取り付けたものである。
【００１３】
照明灯を取付スペースに配設したことにより、照明灯によって遮蔽材及び／又は室内壁面を良好に照らすことができる。さらに、遮蔽材が窓枠の室内側の面に近接した状態で吊り下げられているため、優れた遮光性を発揮することができ、照明灯を照らすことによる意匠的効果をより顕著に発揮することができる。また、鍔部によって照明灯を室内側から見えないようにすることができ、見栄えを良好に維持することができる。しかも、照明灯を発光させた際、照明灯が鍔部に隠されていることによって間接照明となり、淡い光彩が得られインテリア性を向上させることができる。
【００１４】
請求項３の発明は、請求項２に記載の窓遮蔽装置において、前記照明灯を任意の角度で保持可能なチルト機構を備えたものである。
【００１５】
チルト機構によって照明灯の向きを変えることにより、遮蔽材への光の照射角度を好みの角度に調整することが可能である。
【００１６】
請求項４の発明は、請求項２又は３に記載の窓遮蔽装置において、前記照明灯の光の明るさ及び色を調整するための調光手段を備えたものである。
【００１７】
調光手段を備えたことにより、照明灯の光を好みの明るさや色に調整することができる。
【００１８】
請求項５の発明は、請求項１に記載の窓遮蔽装置において、前記取付スペースに、電装品を前記支持部材の長手方向に往復移動可能にガイドするガイド機構を配設したものである。
【００１９】
ガイド機構によって、電装品を支持部材の長手方向に移動させ所望の位置に配設することが可能である。
【発明の効果】
【００２０】
本発明によれば、支持部材に電装品を取付可能な取付スペースを形成したことにより、各種電装品を窓遮蔽装置に取り付けてユニット化することができ、利便性が向上する。また、電装品の目隠し用の鍔部を配設したことにより、取付スペースに配設した電装品を室内側から見えないようにすることができ、見栄えを良好に維持することが可能である。
【図面の簡単な説明】
【００２１】
【図１】本発明の実施例１に係る窓遮蔽装置の断面側面図である。
【図２】前記実施例１の正面図である。
【図３】前記実施例１の背面図である。
【図４】本発明の実施例２に係る窓遮蔽装置を示す図であって、（ａ）は前記窓遮蔽装置の断面側面図、（ｂ）は前記窓遮蔽装置の正面図である。
【図５】本発明の実施例３に係る窓遮蔽装置の断面側面図である。
【図６】本発明の実施例４に係る窓遮蔽装置の断面側面図である。
【図７】本発明の実施例５に係る窓遮蔽装置を示す図であって、（ａ）は前記窓遮蔽装置の断面側面図、（ｂ）は前記窓遮蔽装置の正面図である。
【図８】従来の窓遮蔽装置の断面側面図である。
【発明を実施するための形態】
【実施例１】
【００２２】
以下、図１〜図３を参照して本発明の実施例１に係る窓遮蔽装置を説明する。
図１は実施例１に係る窓遮蔽装置１Ａの断面側面図、図２と図３はそれぞれ前記窓遮蔽装置１Ａの正面図及び背面図である。
【００２３】
図１に示すように、窓遮蔽装置１Ａは、窓枠２の上縁部に取り付けた支持部材３と、支持部材３に取り付けた遮蔽材４と、遮蔽材４を昇降させるための昇降機構５等を備える。また、図１において、符号７は窓枠２に取り付けられたガラス戸であり、同図の右側が室外側、左側が室内側となっている。
【００２４】
支持部材３はアルミニウム材等を押出し成形して得た長手状の部材から成る。ただし、支持部材３の材質としては、アルミニウム以外の金属、合成樹脂、木材、竹、皮革等を適用可能である。支持部材３は、その上縁に付設した取付用金具（図示省略）を介して、窓枠２の上縁部に沿って取り付けられている。支持部材３の室内側の正面には、木目等の装飾模様を施した意匠面３ａが形成され、装飾部材として構成されている。なお、前記意匠面３ａは無模様であってもよい。
【００２５】
遮蔽材４は、カーテン生地やスクリーン等の可撓性を有するシート状の部材から構成される。遮蔽材４は、室内と室外の光の通過を制限するものであればよい。ここでいう「光の通過を制限する」とは、完全に遮光する場合、又は半透明な部材等によって光の一部を遮光する場合の両方が含まれる。遮蔽材４は、窓枠２の上縁部から下方へ突出した支持部材３の下部背面に吊り下げられ、遮蔽材４の下端部にはウェイトバー９が取り付けてある。遮蔽材４は、支持部材３から吊り下げられた状態で窓枠２の室内側の面に密着ないし近接しており、遮光性や室内の保温性等の向上を図り得る構成となっている。また、遮蔽材４の上縁と支持部材３の下縁には、それぞれ互いに接着／分離可能な面状ファスナ等の固着具８（図３参照）が付設されており、この固着具８によって遮蔽材４は支持部材３に対して着脱可能に取り付けられる。
【００２６】
図１及び図３に示すように、昇降機構５は、昇降装置１２、複数本の昇降紐６、操作紐１３、複数の昇降紐用ガイド１１、複数のガイド環列１０を有している。
【００２７】
支持部材３の室外側の背面には凹部３ｂが形成されており、凹部３ｂには昇降装置１２と複数の昇降紐用ガイド１１が配設されている。遮蔽材４の背面には、複数列のガイド環列１０が配設されている。また、遮蔽材４の背面下部には、複数の昇降紐６の一端部（下端部）が取り付けられており、各昇降紐６は、それぞれガイド環列１０を通って遮蔽材４の背面側において上下方向に案内されている。遮蔽材４の下部から上部へ案内された各昇降紐６は、それぞれ昇降紐用ガイド１１に掛け渡され、昇降装置１２へと案内されている。昇降装置１２に案内された各昇降紐６は、結束具１４によって束ねられ、上記操作紐１３として構成される。
【００２８】
この操作紐１３を把持して牽引することにより、昇降紐６が引き上げられ、遮蔽材４の下端をたくし上げることができる。前記昇降装置１２は例えばストッパであり、昇降紐６を引き上げられた状態で保持すると共にその保持を解除することが可能である。また、昇降装置１２として電動で昇降紐６を昇降させるものを適用してもよい。
【００２９】
図１に示すように、支持部材３の背面よりも室内側には、照明灯、防犯センサ、リモコンの受信部等の各種電装品を取り付けるための取付スペース３ｃが形成されている。本発明の実施例１では、前記取付スペース３ｃは支持部材３の下面に形成されている。また、この場合、取付スペース３ｃには、電装品として照明灯１５が取り付けられている。照明灯１５は、発光ダイオードや蛍光灯など種々のものを適用可能であるが、遮蔽材４の劣化を防止するために、発熱しにくい発光ダイオードを適用することが好ましい。また、照明灯１５を取付スペース３ｃに複数配設してもよいし、取付スペース３ｃにおける照明灯１５の配設位置は適宜変更することが可能である。
【００３０】
図１において、符号１６は、室内に設けたコンセントなどから照明灯１５に電力を供給するためのハーネス等の電源供給ラインである。また、本発明の窓遮蔽装置１Ａが、照明灯１５の光の明るさや色を調整するための調光手段を備えてもよい。照明灯１５のＯＮ／ＯＦＦの切換、又は光の明るさや色の調整は、図示しないリモコン又は室内壁面に設けたスイッチ等によって操作することが可能である。
【００３１】
支持部材３の下部正面側には、下方へ突出した鍔部３ｄが一体に形成されている。照明灯１５は支持部材３の下方へ露出して配設されているが、鍔部３ｄを照明灯１５よりも室内側に設けることにより、照明灯１５を室内側からは見えないようにしている（図２参照）。すなわち、鍔部３ｄは、取付スペース３ｃに配設した照明灯１５等の各種電装品の目隠しとして機能する。また、電装品の目隠し機能を効果的に発揮するために、鍔部３ｄの下端縁は、取付スペース３ｃに取り付けた電装品（照明灯１５）の下端部よりも下方へ突出させることが好ましい。
【００３２】
また、図２に示すように、この実施例１では、鍔部３ｄは支持部材３の長手方向（横方向）の全域に渡って形成されているが、支持部材３の少なくとも電装品（照明灯１５）を設けた部分のみに鍔部３ｄを形成してもよい。また、照明灯１５の操作をリモコンで行う場合は、そのリモコンの受信部を、取付スペース３ｃに配設して、受信部が室内側から見えないようにすることが好ましい。
【実施例２】
【００３３】
図４に本発明の実施例２に係る窓遮蔽装置１Ｂを示す。図４（ａ）は、前記窓遮蔽装置１Ｂの断面側面図、（ｂ）は前記窓遮蔽装置１Ｂの正面図である。
実施例２に係る窓遮蔽装置１Ｂは、支持部材３の上面に取付スペース３ｃが形成されている。この取付スペース３ｃに電装品としての照明灯１５が取り付けられており、照明灯１５は上方に光を照射して室内壁面を照らすように配設されている。また、支持部材３の上部正面側には、上方へ突出した鍔部３ｄが一体に形成されている。この場合、照明灯１５は支持部材３の上方へ露出しているが、鍔部３ｄを照明灯１５よりも室内側に設けることにより、照明灯１５を室内側からは見えないようにしている（図４（ｂ）参照）。
【００３４】
なお、実施例２に係る窓遮蔽装置１Ｂにおいて、上記説明した以外の構成は、上記実施例１に係る窓遮蔽装置１Ａと同様であるので説明を省略する。
【００３５】
また、図示省略するが、支持部材３の長手方向両端部の左右の側面に、照明灯１５等の電装品を取り付けるための取付スペース３ｃを形成し、さらに、その取付スペース３ｃよりも室内側に前記電装品の目隠し用の鍔部３ｄを形成してもよい。
【実施例３】
【００３６】
図５は本発明の実施例３に係る窓遮蔽装置１Ｃの断面側面図である。
図５に示すように、実施例３の窓遮蔽装置１Ｃは、照明灯１５を任意の角度で保持可能なチルト機構１７を備えている。チルト機構１７としては、例えば、取付スペース３ｃに照明灯１５を横軸回りに回動可能に支持し、手動で照明灯１５を前後方向に揺動させて、摩擦手段などにより照明灯１５を任意の角度で保持するように構成したものを適用できる。また、チルト機構１７は、電動で歯車等を駆動させることによって、照明灯１５を任意の角度で保持するように構成したものや、それ以外の公知のものも適用可能である。
【００３７】
なお、実施例３に係る窓遮蔽装置１Ｃにおいて、上記説明した部分以外は、上記本発明の実施例１と同様に構成されているので説明を省略する。
【実施例４】
【００３８】
図６は本発明の実施例４に係る窓遮蔽装置１Ｄの断面側面図である。
図６に示すように、実施例４の窓遮蔽装置１Ｄは、照明灯１５の光を反射させるためのミラー２１を鍔部３ｄの室外側の背面に配設している。また、ミラー２１を動かす駆動装置（図示省略）を設け、ミラー２１の角度や位置を変化させるように構成してもよい。さらに、ミラー２１を、外周面が多面体形状を成すミラーボールや棒状のミラーバー等とし、それらを回転可能に構成してもよい。
【００３９】
なお、実施例４に係る窓遮蔽装置１Ｄにおいて、上記説明した部分以外は、上記本発明の実施例１と同様に構成されているので説明を省略する。
【実施例５】
【００４０】
図７に本発明の実施例５に係る窓遮蔽装置１Ｅを示す。図７（ａ）は、前記窓遮蔽装置１Ｅの断面側面図、（ｂ）は前記窓遮蔽装置１Ｅの正面図である。
図７（ａ）（ｂ）に示すように、実施例５の窓遮蔽装置１Ｅは、照明灯１５等の電装品を支持部材３の長手方向に往復移動可能にガイドするガイド機構１８を備えている。ガイド機構１８は、支持部材３の取付スペース３ｃの長手方向に渡って形成されたガイド溝１９と、そのガイド溝１９に沿って移動する移動部材２０によって構成されている。移動部材２０の下端部には、電装品としての照明灯１５が取り付けられている。移動部材２０の移動は、手動で行うようにしてもよいし、駆動装置を用いて電動で行うようにしてもよい。また、移動部材２０の移動を電動で行う場合は、その駆動装置を操作するためのリモコンの受信部を取付スペース３ｃに配設して、受信部が室内側から見えないようにすることが好ましい。さらに、上記移動部材２０にリモコンの受信部や防犯センサ等の電装品を取り付けることも可能である。また、上記ガイド溝１９は、支持部材３を押出し成形することによって容易に形成することが可能である。
【００４１】
また、図７（ａ）に示すように、支持部材３の長手方向に渡って、電源供給ライン１６に接続された電極部２２が配設されている。詳しくは、この電極部２２は、ガイド溝１９に沿って配設された長手状の導電性プレート等によって構成されている。一方、移動部材２０側には、支持部材３に配設された電極部２２に接触して照明灯１５等の電装品へ電力を供給するための電極部２３が配設されている。すなわち、移動部材２０が移動可能な範囲に渡って支持部材３側の電極部２２が配設されており、移動部材２０が支持部材３のどの位置に配設されても照明灯１５等の電装品へ電力供給可能に構成されている。
【００４２】
なお、実施例５に係る窓遮蔽装置１Ｅにおいて、上記説明した構成以外は、本発明の実施例１と同様に構成されている。
【００４３】
以上、本発明の各実施例の構成について説明したが、上記本発明の各実施例の構成を適宜選択して組み合わせることも可能である。
【００４４】
本発明の窓遮蔽装置によれば、支持部材３に電装品を取付可能な取付スペース３ｃを形成したことにより、各種電装品を窓遮蔽装置に取り付けてユニット化することができ、利便性が向上する。特に、上記本発明の各実施例に示すように、電装品として照明灯１５を支持部材３の取付スペース３ｃに配設したことによって、遮蔽材４又は室内壁面を良好に照らすことができ、意匠的効果を発揮することが可能となる。さらに、遮蔽材４は、支持部材３から吊り下げられた状態で窓枠２の室内側の面に密着ないし近接されているため、優れた遮光性を発揮することができ、照明灯１５を照らすことによる意匠的効果をより顕著に発揮することができる。
【００４５】
なお、照明灯１５によって照らされる遮蔽材４の正面は無模様であってもよいが、遮蔽材４の正面にクリスタルを付けることにより意匠性を高めることができる。また、遮蔽材４の正面に凹凸を形成したりするなどして、光が照射された際に立体感のある模様を形成することも可能である。
【００４６】
また、本発明の窓遮蔽装置は、支持部材３に鍔部３ｄを配設したことにより、取付スペース３ｃに配設した照明灯１５等の電装品を室内側から見えないようにすることができる。これにより、見栄えを良好に維持することができる。しかも、照明灯１５を発光させた際、照明灯１５が鍔部３ｄに隠されていることによって間接照明となり、淡い光彩が得られインテリア性を向上させることができる。
【００４７】
また、調光手段を備えている場合は、照明灯１５の光を好みの明るさや色に調整することができる。また、図５において説明した本発明の実施例のように、照明灯１５のチルト機構１７を備える場合は、そのチルト機構１７によって照明灯１５の向きを変えることによって、遮蔽材４への光の照射角度を好みの角度に調整することが可能である。
【００４８】
図６に示すように、鍔部３ｄの背面にミラー２１を配設した場合は、照明灯１５からの光がミラー２１によって反射されることにより、遮蔽材４を一層明るく照らすことができる。また、少ない光量で遮蔽材４を効果的に照らすことができ、照明灯１５の消費電力の低減を図ることも可能である。また、上記ミラー２１を動かして、ミラー２１の角度や位置を変化させるように構成すれば、そのミラー２１に当たって反射した動的な光が遮蔽材４に投影されることにより、演出効果を高めることも可能である。
【００４９】
また、図７において説明した本発明の実施例の場合、移動部材２０をガイド溝１９に沿って移動させることにより、照明灯１５の配設位置を支持部材３の長手方向に渡って変えることが可能である。これにより、照明灯１５によって照らされる遮蔽剤４の意匠性に変化をもたせることが可能となる。また、支持部材３の長手方向に渡って電極部２２を配設したことにより、移動部材２０が支持部材３のどの位置に配設されても照明灯１５に電力を供給することが可能である。また、このように構成したことによって、電源供給ライン１６を移動部材２０側に直接接続する必要がなくなる。そのため、移動部材２０の移動に伴って電源供給ライン１６が追随することがなく、見栄えや操作性が良くなると共に、電源供給ライン１６自体も短くすることができる利点がある。なお、移動部材２０に照明灯１５以外の電装品を取り付けた場合も、上記と同様の作用・効果を奏することが可能である。
【００５０】
本発明は上述の実施例に限定されるものではなく、本発明の要旨を逸脱しない範囲で、種々の変更を加え得ることは勿論である。例えば、上記支持部材３は、図１に示すものに限らず、図８に示すようなパネル状のもの、あるいはそれ以外の形状のものも適用可能である。さらに、支持部材３は、窓枠２の上縁部以外に、窓枠２上方の室内壁面等に取り付けてあってもよい（図８参照）。
【符号の説明】
【００５１】
１Ａ〜１Ｅ  窓遮蔽装置
２    窓枠
３    支持部材
３ｃ  取付スペース
３ｄ  鍔部
４    遮蔽材
５    昇降機構
１５  照明灯
１７  チルト機構
１８  ガイド機構
２１  ミラー
【図１】
2010172491.tif 000003
【図２】
2010172491.tif 000004
【図３】
2010172491.tif 000005
【図４】
2010172491.tif 000006
【図５】
2010172491.tif 000007
【図６】
2010172491.tif 000008
【図７】
2010172491.tif 000009
【図８】
2010172491.tif 000010